(57)【要約】    【課題】  所定の部品範囲の部品購入価格の目標低下率すなわち部品範囲購入価格目標低下率を容易に求める。    【解決手段】  各自動車部品の購入担当者が自己が担当する自動車部品についての目標情報を入力するための目標情報入力手段１を設け、各自動車部品の合計実績購入価格を示す購入価格情報を入力するための購入価格情報入力手段２を設け、目標情報および購入価格情報を記憶する記憶手段３を設け、部品範囲購入価格目標低下率を求めるべき部品範囲情報を入力するための部品範囲情報入力手段４を設け、目標情報、購入価格情報および部品範囲情報から部品範囲購入価格目標低下率を演算する演算手段５を設ける。【選択図】        図１
2006107010.tif 000002
【特許請求の範囲】
【請求項１】
部品を部品販売業者から購入する場合の所定の部品範囲の部品購入価格の目標低下率すなわち部品範囲購入価格目標低下率を演算する部品購入価格目標低下率演算装置であって、
各上記部品販売者から購入する各上記部品の購入価格の目標低下率を示す目標情報を入力するための目標情報入力手段と、
各上記部品の合計実績購入価格を示す購入価格情報を入力するための購入価格情報入力手段と、
上記目標情報および上記購入価格情報を記憶する記憶手段と、
上記部品範囲購入価格目標低下率を求めるべき部品範囲を示す部品範囲情報を入力するための部品範囲情報入力手段と、
上記目標情報、上記購入価格情報および上記部品範囲情報から上記部品範囲購入価格目標低下率を演算する演算手段と
を具備することを特徴とする部品購入価格目標低下率演算装置。
【請求項２】
上記部品が自動車部品であることを特徴とする請求項１に記載の部品購入価格目標低下率演算装置。
【発明の詳細な説明】
【技術分野】
【０００１】
本発明は自動車部品等の部品を部品販売業者から購入する場合の所定の部品範囲の部品購入価格の目標低下率すなわち部品範囲購入価格目標低下率を演算する部品購入価格目標低下率演算装置に関するものである。
【背景技術】
【０００２】
自動車製造業者は部品販売業者から自動車部品を購入して自動車を製造しているが、各自動車部品の購入担当者は各自動車部品の購入価格目標低下率を定めている。
【０００３】
【特許文献１】特開２００２−３６６２１８号公報
【発明の開示】
【発明が解決しようとする課題】
【０００４】
複数の購入担当者の管理者（上長）が自己の管理下の購入担当者が担当する自動車部品全体の購入価格目標低下率を知りたい場合がある。
【０００５】
本発明は上述の課題を解決するためになされたもので、部品範囲購入価格目標低下率を容易に知ることができる部品購入価格目標低下率演算装置を提供することを目的とする。
【課題を解決するための手段】
【０００６】
この目的を達成するため、本発明においては、部品の購入価格の目標低下率を示す目標情報を入力するための目標情報入力手段と、各上記部品の合計実績購入価格を示す購入価格情報を入力するための購入価格情報入力手段と、上記目標情報および上記購入価格情報を記憶する記憶手段と、上記部品範囲購入価格目標低下率を求めるべき部品範囲を示す部品範囲情報を入力するための部品範囲情報入力手段と、上記目標情報、上記購入価格情報および上記部品範囲情報から上記部品範囲購入価格目標低下率を演算する演算手段とを設ける。
【発明の効果】
【０００７】
本発明に係る部品購入価格目標低下率演算装置においては、部品範囲情報入力手段によって部品範囲情報を入力するだけで、部品範囲購入価格目標低下率を容易に知ることができる。
【発明を実施するための最良の形態】
【０００８】
図１は本発明に係る部品購入価格目標低下率演算装置を示すブロック図である。図に示すように、各自動車部品の購入担当者が自己が担当する自動車部品の購入価格の目標低下率を示す目標情報を入力するための複数の目標情報入力手段１が設けられ、各自動車部品の所定期間の合計実績購入価格を示す購入価格情報を入力するための購入価格情報入力手段２が設けられ、目標情報および購入価格情報を記憶する記憶手段３が設けられ、部品範囲購入価格目標低下率を求めるべき部品範囲を示す部品範囲情報を入力するための複数の部品範囲情報入力手段４が設けられている。ここで、部品範囲情報とは所定の範囲の部品たとえば自動車のエンジンの部品、エンジンのピストンの部品等を示す情報で、部品範囲情報としては部品特定情報の一部または全部を入力する。そして、部品特定情報はその先頭部が同一の場合には自動車の同一部分の部品であることを示している。たとえば、部品特定情報の先頭部が「ＡＡＡ」の場合にはエンジンの部品であることを示しており、部品特定情報の先頭部が「ＡＡＡ０」の場合にはエンジンのピストンの部品であることを示している。したがって、部品範囲情報として部品特定情報の一部である「ＡＡＡ」を入力したときには、部品範囲はエンジンの全ての部品となり、部品範囲情報として部品特定情報の一部である「ＡＡＡ０」を入力したときには、部品範囲はエンジンのピストンの全ての部品となる。また、部品範囲情報入力手段４は部品範囲購入価格目標低下率を表示するための表示手段を有しており、部品範囲情報入力手段４は記憶手段３に記憶された目標情報および購入価格情報を取得して、表示手段に目標情報および購入価格情報を表示することができる。また、目標情報、購入価格情報および部品範囲情報から部品範囲購入価格目標低下率を演算する演算手段５が設けられている。
【０００９】
図２は目標情報の一部を示す図であり、目標情報は自動車部品の購入担当者を示す担当者情報を有し、また部品特定情報および部品販売業者情報に対応して目標低下率が定められている。また、図３は購入価格情報の一部を示す図であり、購入価格情報は部品特定情報および部品販売業者情報に対応して合計実績購入価格が定められている。
【００１０】
つぎに、演算手段５について詳細に説明する。部品範囲情報入力手段４によって部品範囲情報が入力されたとき、演算手段５は記憶手段３に記憶された目標情報および購入価格情報から部品範囲情報によって示された部品範囲の自動車部品の部品特定情報、部品販売業者情報に対応した目標低下率および合計実績購入価格を取得する。たとえば、部品情報入力手段４によって部品範囲情報「ＡＡＡ０１１」が入力されたとき（実際には通常広範囲の部品範囲が入力される）には、演算手段５は記憶手段４から目標低下率「１０％」、「１５％」、「１２％」、合計実績購入価格「２７０００円」、「２８０００円」、「２７５００円」を取得する。つぎに、演算手段５は各合計実績購入価格に各目標低下率を乗じた値の和を求め、上記の和を合計実績購入価格の和で除して部品範囲購入価格目標低下率を演算する。たとえば、部品情報入力手段４によって部品範囲情報「ＡＡＡ０１１」が入力されたときには、演算手段５は（２７０００×０．１＋２８０００×０．１５＋２７５００×０．１２）÷（２７０００＋２８０００＋２７５００）の演算をすることにより、部品範囲情報「ＡＡＡ０１１」で示される部品範囲の部品範囲購入価格目標低下率「１２．４％」を求める。
【００１１】
つぎに、図１に示した部品購入価格目標低下率演算装置の動作を図４により説明する。まず、各購入担当者が自己が担当する自動車部品についての目標情報を目標情報入力手段１により入力し、また購入価格情報を購入価格情報入力手段２により入力すると、記憶手段３が目標情報および購入価格情報を記憶する。つぎに、部品範囲情報入力手段４によって部品範囲情報が入力されると、演算手段５は記憶手段３に記憶された目標情報および購入価格情報から部品範囲情報に対応した目標低下率および合計実績購入価格を取得する（Ｓ１）。つぎに、演算手段５は各合計実績購入価格に各目標低下率を乗じた値の和を求め、上記の和を合計実績購入価格の和で除して部品範囲購入価格目標低下率を演算する（Ｓ２）。つぎに、部品範囲情報入力手段４の表示手段は部品範囲購入価格目標低下率を表示する（Ｓ３）。
【００１２】
このような部品購入価格目標低下率演算装置においては、部品範囲情報入力手段４によって部品範囲情報を入力するだけで、部品範囲購入価格目標低下率を容易に知ることができる。したがって、複数の購入担当者の管理者が自己の管理下の購入担当者が担当する自動車部品全体たとえばエンジンの部品全体の部品範囲購入価格目標低下率を容易に知ることができる。
【００１３】
なお、上述実施の形態においては、自動車部品の部品範囲購入価格目標低下率の演算について説明したが、他の部品の部品範囲購入価格目標低下率の演算についても本発明を適用することができる。また、上述実施の形態においては、部品範囲情報として部品特定情報の一部または全部を入力したが、担当者情報を入力することにより部品範囲を指定してもよい。
【図面の簡単な説明】
【００１４】
【図１】本発明に係る部品購入価格目標低下率演算装置を示すブロック図である。
【図２】目標情報の一部を示す図である。
【図３】購入価格情報の一部を示す図である。
【図４】図１に示した部品購入価格目標低下率演算装置の動作を説明するためのフローチャートである。
【符号の説明】
【００１５】
１…目標情報入力手段    ２…購入価格情報入力手段
３…記憶手段            ４…部品範囲情報入力手段
５…演算手段
【図１】
2006107010.tif 000003
【図２】
2006107010.tif 000004
【図３】
2006107010.tif 000005
【図４】
2006107010.tif 000006